(57)【要約】      （修正有）【課題】飲料用容器の本体部の外表面に簡単な方法でラインスト−ンを貼り付けることが可能な飲料用容器を提供する。【解決手段】飲料を収容する本体部１と、本体部１に対して着脱自在に取り付けられる蓋部２とを有するマグボトルＭであって、本体部１の外周に形成された修飾用デザインの印刷面１０にラインスト−ン３を貼り付け可能に構成し、かつ、当該印刷面１０にラインスト−ンの貼り付け位置を示す目印が修飾用デザインと共に印刷されている。好ましくは、貼り付けるべきラインスト−ン３の種類の違いを、目印を異ならせることで識別可能にした。【選択図】図１
0003164071.tif 000002
【実用新案登録請求の範囲】
【請求項１】
飲料を収容する本体部と、本体部に対して着脱自在に取り付けられる蓋部とを有する飲料用容器であって、
本体部の外周に形成された修飾用デザインの印刷面にラインスト−ンを貼り付け可能に構成し、かつ、当該印刷面にラインスト−ンの貼り付け位置を示す目印が修飾用デザインと共に印刷されていることを特徴とする飲料用容器。
【請求項２】
貼り付けるべきラインスト−ンの種類の違いを、前記目印を異ならせることで識別可能にしたことを特徴とする請求項１に記載の飲料用容器。
【請求項３】
前記目印の形状を異ならせることで識別可能にしたことを特徴とする請求項２に記載の飲料用容器。
【考案の詳細な説明】
【技術分野】
【０００１】
本考案は、飲料を収容する本体部と、本体部に対して着脱自在に取り付けられる蓋部とを有する飲料用容器であって、特に、本体部の表面にラインスト−ンを貼り付け可能な飲料用容器に関する。
【背景技術】
【０００２】
マグボトル等の飲料用容器、携帯電話、衣服等に任意のデザインでラインスト−ンを取り付けることが行われている。その場合、ラインスト−ンを予め決められたデザインに沿って、決められた位置に配置する必要がある。
【０００３】
例えば、下記特許文献１には、型紙を用意し、この型紙の上にラインスト−ンを配置する位置を記した配置用型紙に関する内容が公開されている。この配置用型紙には、ちょうどラインスト−ンが嵌合する穴が形成されており、その穴に１個ずつラインスト−ンを配置していく。ラインスト−ンをすべて配置した後、その上から接着テープでラインスト−ンを接着・保持する。その後、テープで保持されたラインスト−ンを貼り付けたい所定の場所に載置し、超音波接着機を使用してラインスト−ンを接着・固定するというものである。
【先行技術文献】
【特許文献】
【０００４】
【特許文献１】特開２００６−１２４８９１号公報（段落０００２〜０００４）
【考案の概要】
【考案が解決しようとする課題】
【０００５】
しかしながら、上記方法は、型紙を別途用意する必要があると共に接着テープや超音波接着機を必要とするなど、一般ユーザーには手間とコストのかかる方法であった。特に、飲料用容器の本体部表面は通常円筒形（曲面）であり、上記方法を適用することは困難である。
【０００６】
本考案は上記実情に鑑みてなされたものであり、その課題は、飲料用容器の本体部の外表面に簡単な方法でラインスト−ンを貼り付けることが可能な飲料用容器を提供することである。
【課題を解決するための手段】
【０００７】
上記課題を解決するため本考案に係る飲料用容器は、
飲料を収容する本体部と、本体部に対して着脱自在に取り付けられる蓋部とを有する飲料用容器であって、
本体部の外周に形成された修飾用デザインの印刷面にラインスト−ンを貼り付け可能に構成し、かつ、当該印刷面にラインスト−ンの貼り付け位置を示す目印が修飾用デザインと共に印刷されていることを特徴とするものである。
【０００８】
かかる構成による飲料用容器の作用・効果を説明する。この飲料用容器の本体部には、通常の修飾用デザインが印刷されている。この印刷面に、ラインスト−ンの貼り付け位置を示す目印も合わせて印刷させる。従って、ユーザーは印刷面に形成された目印を頼りにラインスト−ンを貼り付けることができ、別途型紙を準備する必要もない。貼り付けは、適宜の接着剤等で行うことができる。その結果、飲料用容器の本体部の外表面に簡単な方法でラインスト−ンを貼り付けることが可能になった。
【０００９】
本考案において、貼り付けるべきラインスト−ンの種類の違いを、前記目印を異ならせることで識別可能にしたことが好ましい。
【００１０】
貼り付けるべきラインスト−ンは一種類だけとは限らず、種々のラインスト−ンを貼り付ける場合もある。例えば、色の違うラインスト−ン、形の違うラインスト−ンである。かかる場合に、目印を異ならせておけば、どのラインスト−ンをどの位置に貼り付けるべきかを視認することができる。
【００１１】
本考案において、前記目印の形状を異ならせることで識別可能にしたことが好ましい。目印を異ならせる方法として、例えば、四角、三角、というように形状を異ならせることで、直ちに視認することができる。
【図面の簡単な説明】
【００１２】
【図１】第１実施形態に係るマグボトルを示す図
【図２】第１実施形態に係る印刷面の構成例を示す図
【図３】第２実施形態に係るマグボトルを示す図
【図４】第２実施形態に係る印刷面の構成例を示す図
【図５】第３実施形態に係るマグボトルを示す図
【図６】第３実施形態に係る印刷面の構成例を示す図
【考案を実施するための形態】
【００１３】
本考案に係る飲料用容器の好適な実施形態を図面を用いて説明する。図１は、飲料用容器の一例であるマグボトルＭの外観を示す。マグボトルＭは、飲料が収容される本体部１と、本体部１に対して着脱自在に取り付けられる蓋部２により構成される。
【００１４】
本体部１は、円筒形に形成されており、その表面は修飾用デザインのための印刷面１０として機能する。また、この印刷面１０には、多数のラインスト−ン３が接着剤により貼り付けされる。
【００１５】
図２は、印刷面１０を展開して示す図である。印刷面１０は、適宜の単色に印刷されているが、模様や形状が印刷されていてもよい。印刷面１０の中にラインスト−ン３の貼り付け位置を示す目印１１（黒丸）が修飾用デザイン（この場合は単色デザイン）とともに印刷されている。ユーザーは、この目印１１によりラインスト−ン３の貼り付け位置を容易に認識することができる。
【００１６】
図３は、第２の実施形態を示す。印刷面１０には、星形のデザインが印刷されており、ラインスト−ン３を貼り付けるために第１目印１２と第２目印１３が印刷されている。この実施形態では、第１ラインスト−ン３ａと第２ラインスト−ン３ｂの２種類のラインスト−ン３が貼り付けられる。これら第１・第２ラインスト−ン３ａ，３ｂは、色と大きさが異なっている。また、第１目印１２は円形、第２目印１３が正方形であり、形状を異ならせている。
【００１７】
第１ラインスト−ン３ａは、第１目印１２に貼り付ければよく、第２ラインスト−ン３ｂは、第２目印１３に貼り付ければよい。このように、目印を異ならせることで、どのラインスト−ンをどの目印に貼り付けるべきかを識別可能になる。
【００１８】
図５は、第３の実施形態を示す。印刷面１０には王冠のデザインが印刷されており、ラインスト−ン３を貼り付けるための第１目印１４、第２目印１５、第３目印１６が印刷されている。この実施形態では、第１ラインスト−ン３ａ，第２ラインスト−ン３ｂ、第３ラインスト−ン３ｃの３種類のラインスト−ン３が貼り付けられる。これら第１〜第３ラインスト−ン３ａ，３ｂ，３ｃは、色と大きさが異なっている。第１目印１４は正方形、第２目印１５は円形、第３目印１６は黒丸である。
【００１９】
第１ラインスト−ン３ａは、第１目印１４に貼り付ければよく、第２ラインスト−ン３ｂは、第２目印１５に貼り付ければよく、第３ラインスト−ン３ｃは、第３目印１６に貼り付ければよい。ラインスト−ン３の種類が増えたとしても、目印をそれに対応して異ならせることで、容易に対応することができる。
【００２０】
＜別実施形態＞
飲料用容器の具体例として、本実施形態ではマグボトルをあげたが、本考案はこれに限定されるものではなく、例えば、その他の水筒、魔法瓶等にも適用することができる。
【００２１】
目印の形態は、本考案に限定されるものではない。形状としては、円形、正方形、三角形のほか、楕円形、五角形、また、その他の任意の形状、例えば、直線と図形の組み合わせ、文字や記号で表記するもの、アイコンを用いるもの、など多様な変形例が可能である。
【００２２】
本考案に係るマグボトルは、当該マグボトルと合わせてラインスト−ン及び接着剤との組み合わせで商品化して販売することが好ましい。
【符号の説明】
【００２３】
Ｍ      マグボトル
１      本体部
２      蓋部
３，３ａ，３ｂ，３ｃ      ラインスト−ン
１０    印刷面
１１，１２，１３，１４，１５，１６      目印
【図１】
0003164071.tif 000003
【図２】
0003164071.tif 000004
【図３】
0003164071.tif 000005
【図４】
0003164071.tif 000006
【図５】
0003164071.tif 000007
【図６】
0003164071.tif 000008